(57)【特許請求の範囲】
【請求項１】
本体部と、
記録媒体を収容し前記本体部に対して引き出し可能に装着される収容部と、
前記本体部に固定され、前記記録媒体を搬送する搬送部材を有する給紙部と、
前記搬送部材と接触して前記搬送部材との間で前記記録媒体を分離する分離部材を有し、前記収容部の装着方向に移動可能に前記収容部に保持された供給部と、
前記供給部を、第１の付勢力で付勢する第１付勢手段と、前記第１の付勢力よりは弱い第２の付勢力で付勢する第２付勢手段と、を介して前記収容部に移動可能に保持し、前記収容部が前記本体部へ装着されるときに前記第１付勢手段及び前記第２付勢手段の付勢力に抗して前記給紙部に係合して位置決めを行なう位置決め手段と、を備えた、
ことを特徴とする搬送装置。
【請求項２】
前記位置決め手段が、前記給紙部側に形成され、先端にテーパ形状を有する位置決めピンと、前記位置決めピンが挿入される供給部側に形成され、開口端にテーパ形状を有する位置決め穴から構成される、
ことを特徴とする請求項１に記載の搬送装置。
【請求項３】
前記位置決めピンが、前記位置決め穴に挿入されたときに前記位置決め穴の内面と接触する接触面と前記位置決め穴の内面と接触しない被接触面とを有する、
ことを特徴とする請求項２に記載の搬送装置。
【請求項４】
前記収容部が前記本体部に装着された状態で、前記位置決めピンが、前記分離部材の回転軸と前記分離部材の揺動中心軸の中間点に位置する、
ことを特徴とする請求項２又は３に記載の搬送装置。
【請求項５】
前記収容部が前記本体部に装着された状態で、前記位置決めピンが、前記分離部材の回転軸の両延長位置で前記搬送部材の真下に位置する、
ことを特徴とする請求項２又は３に記載の搬送装置。
【請求項６】
前記収容部が前記本体部に装着されるときに、前記位置決めピンが前記位置決め穴に係合した後に前記分離部材が前記搬送部材に接触する、
ことを特徴とする請求項２ないし５のいずれか１項に記載の搬送装置。
【請求項７】
前記収容部に設けられ、前記本体部に設けられた被係合部に係合するフック部材と、前記フック部材と前記被係合部とが前記収容部の引き込み開始位置で係合すると、前記フック部材に引き込み力を作用させる付勢部材と、を有し、
前記収容部は前記本体部に装着されるときに、
Ｆ１＜Ｆ２＜Ｆ３
の関係を有して装着される、
ことを特徴とする請求項２ないし６のいずれか１項に記載の搬送装置。
ここで、前記位置決めピンが前記位置決め穴に係合する際の摩擦力をＦ１、前記分離部材の前記搬送部材への接触力をＦ２、前記付勢部材の引き込み力をＦ３、とする。
【請求項８】
前記収容部が前記本体部に装着されるときに、前記位置決めピンが前記位置決め穴に係合する前で且つ前記分離部材が前記搬送部材に接触する前に、前記フック部材が前記被係合部に接触して引き込みが開始される、
ことを特徴とする請求項７に記載の搬送装置。
【請求項９】
前記本体部には、前記供給部の上下方向への変位を規制する規制部材が設けられている、
ことを特徴とする請求項１ないし８のいずれか１項に記載の搬送装置。
【請求項１０】
前記収容部が前記本体部に装着されるときに、前記給紙部は前記供給部が当接する受け面を有し、前記本体部は前記収容部が当接する当接面を有する、
ことを特徴とする請求項１ないし９のいずれか１項に記載の搬送装置。
【請求項１１】
前記収容部が前記本体部に装着されるときに、前記供給部が前記受け面に当接した後、前記収容部が前記本体部の前記当接面に当接する、
ことを特徴とする請求項１０に記載の搬送装置。
【請求項１２】
本体部と、
記録媒体を収容し前記本体部に対して引き出し可能に装着される収容部と、
前記本体部に固定され、前記記録媒体を搬送する搬送部材を有する給紙部と、
前記搬送部材と接触して前記搬送部材との間で前記記録媒体を分離する分離部材を有し、前記収容部の装着方向と交差する方向で直線的に移動して前記給紙部と離接するように移動可能に前記収容部に保持された供給部と、
前記収容部が前記本体部へ装着される際に前記供給部に設けられた被案内部材を誘導する第１傾斜面、前記第１傾斜面に連続して形成され前記第１傾斜面よりも急峻な傾斜を有する第２傾斜面、前記第２傾斜面に連続して形成され前記収容部の移動方向と平行な押圧面、を有する案内部材と、を備え、
前記収容部が前記本体部へ装着される動作に連係して、前記供給部が前記給紙部と干渉しない第１の位置から前記記録媒体の供給に用いられる第２の位置に移動する、
ことを特徴とする搬送装置。
【請求項１３】
前記被案内部材は、前記分離部材の回転軸の両延長位置で前記分離部材を前記搬送部材に圧接する付勢部材の真下に位置する、
ことを特徴とする請求項１２に記載の搬送装置。
【請求項１４】
前記収容部が、前記収容部の前記記録媒体を送り出す側の壁面の上端部に凹形状と、前記供給部の記録媒体突き当て壁の下端部に前記凹形状と互いに嵌り合う凸形状を有し、前記記録媒体突き当て壁の前記下端部と前記凸形状の先端部にテーパ案内面が形成されている、
ことを特徴とする請求項１ないし１３のいずれか１項に記載の搬送装置。
【請求項１５】
前記記録媒体突き当て壁の前記下端部のテーパ案内面の傾斜角度は、前記記録媒体が斜行した状態で前記記録媒体の先端側角部が前記テーパ案内面に接触する傾斜角度であり、前記凸形状のテーパ案内面の傾斜角度は、前記収容部の前記記録媒体を送り出す側の壁面よりも記録媒体収容側へ突出しない傾斜角度である、
ことを特徴とする請求項１４に記載の搬送装置。
【請求項１６】
前記凹形状と前記凸形状は互いに嵌り合って一対の凹凸形状をなし、前記記録媒体の送り出し方向と交差する幅方向の両端から少なくとも１５ｍｍ内側に形成されている、
ことを特徴とする請求項１４又は１５に記載の搬送装置。
【発明の詳細な説明】
【技術分野】
【０００１】
本発明は、搬送装置に関する。
【背景技術】
【０００２】
媒体を搬送するための第１の搬送部材を有する本体部と、媒体を自装置が設置される面である設置面に対して鉛直方向に堆積するように複数収容するとともに、設置面に沿った方向に往復移動して本体部に着脱される収容部と、収容部に収容された媒体を捌いて本体部に供給するための供給部であって、収容部に取り付けられるための取付部と、第１の搬送部材と対向し、第１の搬送部材と対向する位置において媒体を挟み込むとともに媒体を捌くための第２の搬送部材とを有する供給部と、収容部に収容された媒体のうちの最上面にあるものを、第１の搬送部材と第２の搬送部材とが対向する位置に向けて搬送する第３の搬送部材と、収容部が本体部に装着された状態において、第２の搬送部材が第１の搬送部材に対してあらかじめ決められた位置になるように、本体部と供給部とを位置決めする位置決め機構とを備え、取付部が、供給部と収容部との相対的な移動を許容し、供給部が、本体部に対して位置決めされる搬送装置が知られている（特許文献１）。
【先行技術文献】
【特許文献】
【０００３】
【特許文献１】特開２０１１−８１２８５号公報
【発明の概要】
【発明が解決しようとする課題】
【０００４】
本発明は、収容部に収容された記録媒体を供給する供給部を本体部で記録媒体を搬送する搬送部に確実に位置合わせすることを目的とする。
【課題を解決するための手段】
【０００５】
前記課題を解決するために、請求項１に記載の搬送装置は、
本体部と、
記録媒体を収容し前記本体部に対して引き出し可能に装着される収容部と、
前記本体部に固定され、前記記録媒体を搬送する搬送部材を有する給紙部と、
前記搬送部材と接触して前記搬送部材との間で前記記録媒体を分離する分離部材を有し、前記収容部の装着方向に移動可能に前記収容部に保持された供給部と、
前記供給部を、第１の付勢力で付勢する第１付勢手段と、前記第１の付勢力よりは弱い第２の付勢力で付勢する第２付勢手段と、を介して前記収容部に移動可能に保持し、前記収容部が前記本体部へ装着されるときに前記第１付勢手段及び前記第２付勢手段の付勢力に抗して前記給紙部に係合して位置決めを行なう位置決め手段と、を備えた、
ことを特徴とする。
【０００７】
請求項２記載の発明は、請求項１に記載の搬送装置において、
前記位置決め手段が、前記給紙部側に形成され、先端にテーパ形状を有する位置決めピンと、前記位置決めピンが挿入される供給部側に形成され、開口端にテーパ形状を有する位置決め穴から構成される、
ことを特徴とする。
【０００８】
請求項３記載の発明は、請求項２に記載の搬送装置において、
前記位置決めピンが、前記位置決め穴に挿入されたときに前記位置決め穴の内面と接触する接触面と前記位置決め穴の内面と接触しない被接触面とを有する、
ことを特徴とする。
【０００９】
請求項４記載の発明は、請求項２又は３に記載の搬送装置において、
前記収容部が前記本体部に装着された状態で、請求項４記載の発明は、請求項２又は３に記載の搬送装置において、
前記位置決めピンが、前記分離部材の回転軸と前記分離部材の揺動中心軸の中間点に位置する、
ことを特徴とする。
【００１０】
請求項５記載の発明は、請求項２又は３に記載の搬送装置において、
前記収容部が前記本体部に装着された状態で、前記位置決めピンが、前記分離部材の回転軸の両延長位置で前記搬送部材の真下に位置する、
ことを特徴とする。
【００１１】
請求項６記載の発明は、請求項２ないし５のいずれか１項に記載の搬送装置において、
前記収容部が前記本体部に装着されるときに、前記位置決めピンが前記位置決め穴に係合した後に前記分離部材が前記搬送部材に接触する、
ことを特徴とする。
ことを特徴とする。
【００１２】
請求項７記載の発明は、請求項２ないし６のいずれか１項に記載の搬送装置において、
前記収容部に設けられ、前記本体部に設けられた被係合部に係合するフック部材と、前記フック部材と前記被係合部とが前記収容部の引き込み開始位置で係合すると、前記フック部材に引き込み力を作用させる付勢部材と、を有し、
前記収容部は前記本体部に装着されるときに、
Ｆ１＜Ｆ２＜Ｆ３
の関係を有して装着される、
ことを特徴とする。
ここで、前記位置決めピンが前記位置決め穴に係合する際の摩擦力をＦ１、前記分離部材の前記搬送部材への接触力をＦ２、前記付勢部材の引き込み力をＦ３、とする。
【００１３】
請求項８記載の発明は、請求項７に記載の搬送装置において、
前記収容部が前記本体部に装着されるときに、前記位置決めピンが前記位置決め穴に係合する前で且つ前記分離部材が前記搬送部材に接触する前に、前記フック部材が前記被係合部に接触して引き込みが開始される、
ことを特徴とする。
【００１４】
請求項９記載の発明は、請求項１ないし８のいずれか１項に記載の搬送装置において、
前記本体部には、前記供給部の上下方向への変位を規制する規制部材が設けられている、
ことを特徴とする。
【００１５】
請求項１０記載の発明は、請求項１ないし９のいずれか１項に記載の搬送装置において、
前記収容部が前記本体部に装着されるときに、前記給紙部は前記供給部が当接する受け面を有し、前記本体部は前記収容部が当接する当接面を有する、
ことを特徴とする。
【００１６】
請求項１１記載の発明は、請求項１０に記載の搬送装置において、
前記収容部が前記本体部に装着されるときに、前記供給部が前記受け面に当接した後、
前記収容部が前記本体部の前記当接面に当接する、
ことを特徴とする。
【００１７】
前記課題を解決するために、請求項１２に記載の搬送装置は、
本体部と、
記録媒体を収容し前記本体部に対して引き出し可能に装着される収容部と、
前記本体部に固定され、前記記録媒体を搬送する搬送部材を有する給紙部と、
前記搬送部材と接触して前記搬送部材との間で前記記録媒体を分離する分離部材を有し、前記収容部の装着方向と交差する方向で直線的に移動して前記給紙部と離接するように移動可能に前記収容部に保持された供給部と、
前記収容部が前記本体部へ装着される際に前記供給部に設けられた被案内部材を誘導する第１傾斜面、前記第１傾斜面に連続して形成され前記第１傾斜面よりも急峻な傾斜を有する第２傾斜面、前記第２傾斜面に連続して形成され前記収容部の移動方向と平行な押圧面、を有する案内部材と、を備え、
前記収容部が前記本体部へ装着される動作に連係して、前記供給部が前記給紙部と干渉しない第１の位置から前記記録媒体の供給に用いられる第２の位置に移動する、
ことを特徴とする。
【００１９】
請求項１３記載の発明は、請求項１２に記載の搬送装置において、
前記被案内部材は、前記分離部材の回転軸の両延長位置で前記分離部材を前記搬送部材に圧接する付勢部材の真下に位置する、
ことを特徴とする。
【００２０】
請求項１４記載の発明は、請求項１ないし１３のいずれか１項に記載の搬送装置において、
前記収容部が、前記収容部の前記記録媒体を送り出す側の壁面の上端部に凹形状と、前記供給部の記録媒体突き当て壁の下端部に前記凹形状と互いに嵌り合う凸形状を有し、前記記録媒体突き当て壁の前記下端部と前記凸形状の先端部にテーパ案内面が形成されている、
ことを特徴とする。
【００２１】
請求項１５記載の発明は、請求項１４に記載の搬送装置において、
前記記録媒体突き当て壁の前記下端部のテーパ案内面の傾斜角度は、前記記録媒体が斜行した状態で前記記録媒体の先端側角部が前記テーパ案内面に接触する傾斜角度であり、前記凸形状のテーパ案内面の傾斜角度は、前記収容部の前記記録媒体を送り出す側の壁面よりも記録媒体収容側へ突出しない傾斜角度である、
ことを特徴とする。
【００２２】
請求項１６記載の発明は、請求項１４又は１５に記載の搬送装置において、
前記凹形状と前記凸形状は互いに嵌り合って一対の凹凸形状をなし、前記記録媒体の送り出し方向と交差する幅方向の両端から少なくとも１５ｍｍ内側に形成されている、
ことを特徴とする。
【発明の効果】
【００２３】
請求項１に記載の発明によれば、供給部が収容部の装着方向に移動可能に保持された構成を有しない場合に比して、供給部を給紙部に位置決めする際の供給部に作用する回転モーメントを抑制しながら、供給部を本体部で記録媒体を搬送する搬送部に確実に位置合わせすることができる。
請求項２に記載の発明によれば、位置決め穴と位置決めピンが係合するときの抵抗を軽減しつつ、供給部の位置決め穴を給紙部の位置決めピンに確実に係合させることができる。
請求項３に記載の発明によれば、位置決めピンの位置決め穴への挿入抵抗を軽減することができる。
請求項４ないし６に記載の発明によれば、位置決めピンと位置決め穴のかじりを抑制することができる。
請求項７に記載の発明によれば、収容部を本体部に確実に装着することができる。
請求項８に記載の発明によれば、収容部を本体部に装着するときの抵抗を軽減することができる。
請求項１１に記載の発明によれば、供給部を給紙部に位置決めする際の供給部に作用する回転モーメントを抑制することができる。
請求項１０及び１１に記載の発明によれば、搬送部材と分離部材の位置ずれを抑制しつつ供給部の損傷を抑制することができる。
請求項１２ないし１３に記載の発明によれば、収容部を本体部へ装着するときの給紙部の損傷を防止することができる。
請求項１４ないし１６に記載の発明によれば、記録媒体のダメージを軽減することができる。
【図面の簡単な説明】
【００２４】
【図１】画像形成システム１の内部構成を示す断面模式図である。
【図２】搬送装置２００の要部を示す断面斜視図である。
【図３】用紙送り出し機構を示す縦断面図である。
【図４】（ａ）は供給部２４０と給紙部２３０との係合を示す縦断面模式図、（ｂ）は位置決め穴２４２と位置決めピン２３５との係合状態を示す横断面模式図である。
【図５】供給部２４０と給紙部２３０及び収容部２２０との係合を示す平面模式図である。
【図６】位置決めピン２３５の配置位置を示す断面模式図である。
【図７】供給部２４０と給紙部２３０との位置決めを説明する断面模式図であり、（ａ）は供給部２４０の位置決め穴２４２が給紙部２３０の位置決めピン２３５に係合を開始する状態、（ｂ）は供給部２４０の位置決め穴２４２が給紙部２３０の位置決めピン２３５に係合されて位置決めされた状態を示している。
【図８】（ａ）は収容部２２０の本体部２１０への係合を示す平面模式図、（ｂ）は供給部２４０と給紙部２３０の係合時に作用する力を示す断面模式図である。
【図９】規制部材２１１の配置を示す断面模式図である。
【図１０】櫛歯部の構成を示す部分拡大図である。
【図１１】用紙Ｐの端部に対する櫛歯部の位置を示す正面模式図である。
【図１２】収容部２２０を本体部２１０に装着するときの動作を説明するための断面模式図である。
【図１３】供給部２４０Ａを給紙部２３０に案内する案内部材２５０を備えた搬送装置２００Ａの構成と動作を説明するための断面模式図である。
【発明を実施するための形態】
【００２５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００２６】
「第１実施形態」
（１）画像形成システムの全体構成及び動作
図１は本実施形態に係る搬送装置が適用される画像形成システム１を示す概略構成図である。図１に示す画像形成システム１は、電子写真方式によって画像を形成するプリンタや複写機等の画像形成装置１００と、画像形成装置１００にトナー像が形成される記録媒体としての用紙Ｐを搬送する搬送装置２００とを備えている。
以下、図面を参照しながら、画像形成システム１の全体構成及び動作を説明する。
【００２７】
（１．１）画像形成装置の全体構成と動作
画像形成装置１００は、制御装置１０、給紙装置２０、感光体ユニット３０、現像装置４０、転写装置５０、定着装置６０、を備えて構成されている。画像形成装置１００の下方（−Ｚ方向）には、搬送装置２００が配置され、画像が記録される用紙Ｐが画像形成装置１００へ搬送される。
【００２８】
画像形成装置１００の底部には、記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００２９】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００３０】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００３１】
転写装置５０においてトナー像が一括転写された用紙Ｐは、トナー像が未定着の状態で定着装置６０に搬送され、一対の加熱モジュール６１と加圧モジュール６２により、圧着と加熱の作用でトナー像が定着される。
定着トナー像が形成された用紙Ｐは、搬送ガイドによってガイドされ、排出ローラ対６９から画像形成装置１００の上面（Ｚ方向）に形成された排出トレイ部Ｔに排出・収容される。  
【００３２】
（１．２）搬送装置の全体構成と動作
搬送装置２００は、本体部２１０と、収容部２２０とを有する。本体部２１０は、画像形成装置１００に対して着脱される構成を有し、画像形成装置１００が有する用紙搬送経路と接続する用紙Ｐの搬送経路を有する。
【００３３】
収容部２２０は、多数枚の用紙Ｐを収容し、本体部２１０に対して往復移動して装着される構成となっている。収容部２２０は、用紙Ｐを積載する用紙積載板２２１を備え、用紙Ｐの残量に応じて用紙積載板２２１を移動させる。
収容部２２０は、図１中の矢印Ｒ１の方向（以下、「装着方向」ともいう。）に移動することで装着され、矢印Ｒ２の方向（以下、「離脱方向」ともいう。）に移動することで離脱、すなわち装着された状態が解除される。
【００３４】
本体部２１０には、給紙部２３０が設けられ、収容部２２０には供給部２４０が取り付けられている。本体部２１０に収容部２２０が装着された状態で、給紙部２３０の搬送部材としてのフィードロール２３２と供給部２４０の分離部材としてのリタードロール２４１が互いに当接してナジャーロール２３１から送り込まれた用紙Ｐを一枚ずつ分離して画像形成装置１００へ搬送する。
【００３５】
（２）搬送装置
図２は搬送装置２００の要部を示す断面斜視図、図３は用紙送り出し機構を示す縦断面図、図４（ａ）は供給部２４０と給紙部２３０との係合を示す縦断面模式図、（ｂ）は位置決め穴２４２と位置決めピン２３５との係合状態を示す横断面模式図、図５は供給部２４０と給紙部２３０及び収容部２２０との係合を示す模式図、図６は位置決めピン２３５の配置位置を示す断面模式図、図７は供給部２４０と給紙部２３０との位置決めを説明する断面模式図であり、（ａ）は供給部２４０の位置決め穴が給紙部２３０の位置決めピンに係合を開始する状態、（ｂ）は供給部２４０の位置決め穴が給紙部２３０の位置決めピンに係合されて位置決めされた状態を示している。図８（ａ）は収容部２２０の本体部２１０への係合を示す平面模式図、（ｂ）は供給部２４０と給紙部２３０の係合時に作用する力を示す断面模式図、図９は規制部材２１１の配置を示す断面模式図、図１０は櫛歯部の構成を示す部分拡大図、図１１は用紙Ｐの端部に対する櫛歯部の位置を示す正面模式図、図１２は収容部２２０を本体部２１０に装着するときの動作を説明するための断面模式図である。
以下図面を参照しながら搬送装置２００の構成と動作について説明する。
【００３６】
（２．１）用紙送り出し機構
搬送装置２００は、図２に示すように、給紙部２３０が固定された本体部２１０と供給部２４０が移動可能に保持された収容部２２０とから構成されている。
給紙部２３０には、用紙Ｐの上面の先端側に当接して収容部２２０から用紙Ｐを送り出すナジャーロール２３１が設けられている。フィードロール２３２、搬送ロール対２３３を有し、給紙部２３０には、収容部２２０の供給部２４０が位置決めされて、供給部２４０に保持されたリタードロール２４１が給紙部２３０のフィードロール２３２と圧接して、収容部２２０内に積載された用紙Ｐを一枚ずつ捌きながら画像形成装置１００本体へ搬送する。
【００３７】
収容部２２０には、図３に示すように、用紙Ｐを束状に積載する用紙積載板２２１が設けられている。用紙積載板２２１は、側板２２２及び前壁２２３に沿って上昇手段（不図示）によって上方へ移動し、用紙積載板２２１に積載された用紙Ｐのうち、最上にある用紙Ｐがナジャーロール２３１に当接する。
その結果、積載された用紙Ｐが送り出され、用紙Ｐの枚数が減った場合でも、用紙Ｐの有無を検知する用紙センサＳＲ１（不図示）のアクチュエータ２３９に接触するまで上昇手段が用紙積載板２２１を上方へ移動させ、最上にある用紙Ｐがナジャーロール２３１に当接するようになっている。
【００３８】
ナジャーロール２３１の用紙搬送方向下流側には、搬送部材の一例としてのフィードロール２３２が設けられている。フィードロール２３２の下側には、分離部材としてのリタードロール（分離ローラ）２４１がフィードロール２３２に対向して圧接されている。
これにより、フィードロール２３２とリタードロール２４１との間に、収容部内から送り出された用紙Ｐを挟持するニップ部が形成される。
【００３９】
フィードロール２３２は、本体部２１０に設けられた駆動部（不図示）によって、用紙搬送方向と直交する方向を軸方向として、この軸周りに回転駆動される駆動ローラである。
フィードロール２３２が、収容部２２０から送り出されニップ部に搬送される用紙Ｐの上面（表面）に当接して、回転駆動することにより、用紙Ｐが下流へ搬送される。
【００４０】
リタードロール２４１は、用紙搬送方向に直交する方向を軸方向として、この軸周りに回転する従動ローラであり、リタードロール２４１の回転軸には、トルクリミッター（不図示）が取り付けられている。リタードロール２４１全体は、支持部材としてのリタードホルダ２４５に揺動軸２４５ａを揺動中心として揺動可能に支持され、加圧部材２４６で押圧されてフィードロール２３２に圧接している。
このため、リタードロール２４１の表面に用紙Ｐが当接し、この用紙Ｐとの摩擦によって、リタードロール２４１へ回転力が付与されると、リタードロール２４１は、所定の回転負荷を生じるブレーキとして機能すると共に、リタードロール２４１へ所定力以上の回転力が作用した場合に、従動回転する。尚、リタードロール２４１は駆動源（不図示）によってフィードロール２３２と反対方向に回転駆動されてもよい。
【００４１】
このように、リタードロール２４１がブレーキとして機能することにより、複数枚の用紙Ｐが重なってニップ部に搬送された場合に、その用紙Ｐへ下面側（裏面側）から搬送抵抗を付与して、フィードロール２３２が搬送する用紙Ｐの重送を抑制している。
すなわち、フィードロール２３２とリタードロール２４１とが対となって、重なった用紙Ｐを分離して（さばいて）、用紙Ｐを一枚ずつ給紙する（図３中  矢印Ｒ参照）。
【００４２】
フィードロール２３２の用紙搬送方向下流側に配置された搬送ロール対２３３と、フィードロール２３２との間には、送り出される用紙Ｐを搬送ロール対２３３へ案内するガイドシュート２３４ａ、２３４ｂが設けられている。
【００４３】
（２．２）給紙部と供給部の位置決め
図４及び図５に示すように、給紙部２３０にはフィードロール２３２の軸方向の両側に位置決めピン２３５が供給部２４０に向って突出して形成され、供給部２４０には収容部２２０の本体部２１０への装着方向に向って開口し、位置決めピン２３５が挿入される位置決め穴２４２が位置決めピン２３５に対応して形成されている。
位置決めピン２３５は先端にテーパ形状２３５ａを有し、位置決め穴２４２には開口端にテーパ形状２４２ａが形成されている。そのために、位置決め穴２４２と位置決めピン２３５が係合するときの抵抗を軽減しつつ、供給部２４０の位置決め穴２４２を給紙部２３０の位置決めピン２３５に確実に係合させることができる構成となっている。
【００４４】
図４（ｂ）に示すように、位置決めピン２３５は位置決め穴２４２に挿入されたときに位置決め穴２４２の内面２４２ｂと接触する接触面２３５ｂと位置決め穴２４２の内面２４２ｂと接触しない被接触面２３５ｃとを有している。具体的には、位置決めピン２３５は、ピン本体部がダブルＤカット形状とされ、位置決めピン２３５の位置決め穴２４２への挿入抵抗を軽減している。
【００４５】
供給部２４０は、収容部２２０に対して収容部２２０の装着方向に移動可能に保持されている。具体的には、供給部２４０は、第１付勢手段としての第１スプリング２２４と、第２付勢手段としての第２スプリング２２５を介して収容部２２０に対して移動可能に保持され、収容部２２０が本体部２１０へ装着されるときに第１スプリング２２４及び第２スプリング２２５の付勢力に抗して位置決めピン２３５に嵌まり込む構成となっている。
【００４６】
第１スプリング２２４の付勢力Ｐ１は第２スプリング２２５の付勢力Ｐ２より強く設定されている。その結果、位置決め穴２４２を給紙部２３０の位置決めピン２３５に係合させるときに供給部２４０に作用する回転モーメントＭを、第１スプリング２２４の付勢力Ｐ１で相殺する構成となっている（図４中  矢印Ｐ１、Ｍ参照）。
【００４７】
位置決めピン２３５は、図６（ａ）に示すように、位置決め穴２４２に挿入されたときに位置決め穴２４２の内面２４２ｂと接触する接触面２３５ｂが、リタードロール２４１とフィードロール２３２の当接位置（図中  荷重Ｗ１が作用）とリタードホルダ２４５の揺動軸２４５ａ（図中  荷重Ｗ２が作用）との中間点に位置する（図中  反力Ｗ３が作用）ように配置されている。その結果、供給部２４０が給紙部２３０に位置決めされるときに、位置決めピン２３５と位置決め穴２４２のかじりを抑制することができる構成となっている。
【００４８】
「変形例」
位置決めピン２３５は、図６（ｂ）に示すように、位置決め穴２４２に挿入されたときに位置決め穴２４２の内面２４２ｂと接触する接触面２３５ｂが、リタードロール２４１の回転軸の両延長位置でフィードロール２３２の真下に位置するように配置されてもよく、供給部２４０が給紙部２３０に位置決めされるときに、位置決めピン２３５と位置決め穴２４２のかじりを抑制することができる。
【００４９】
図７（ａ）、（ｂ）に示すように、収容部２２０が本体部２１０に装着され位置決めされるときは、給紙部２３０に設けられた位置決めピン２３５が供給部２４０に形成された位置決め穴２４２に係合した後にリタードロール２４１がフィードロール２３２に接触して当接する。その結果、位置決めピン２３５と位置決め穴２４２のかじりを抑制することができる構成となっている。
【００５０】
図８（ａ）に示すように、収容部２２０は、その底面に、本体部２１０に設けられた被係合部としての係合ピン２１２に係合するフック部材２２６と、フック部材２２６と係合ピン２１２とが収容部２２０の引き込み開始位置で係合すると、フック部材２２６に引き込み力を作用させる付勢部材としてのスプリング２２７とを備える。
【００５１】
フック部材２２６は、収容部２２０が装着された状態になると、図８（ａ）に示すように、本体部２１０に設けられた係合ピン２１２に掛けられる。このとき、フック部材２２６は、スプリング２２７の付勢力で係合ピン２１２を押圧して、本体部２１０にスプリング２２７の付勢力に基づく引き込み力（Ｆ３）で引き込まれた状態になり、本体部２１０からの離脱を妨げる。
使用者が収容部２２０を本体部２１０から離脱させる方向にスプリング２２７の付勢力よりも大きな力で引っ張ると、フック部材２２６と係合ピン２１２との係合が解除され、収容部２２０が離脱するようになる。
【００５２】
収容部２２０が本体部２１０に装着されるときには、位置決めピン２３５が位置決め穴２４２に係合する前且つリタードロール２４１がフィードロール２３２に接触する前に、フック部材２２６が係合ピン２１２に接触して引き込みが開始される。
【００５３】
本実施形態においては、収容部２２０は本体部２１０に対して、位置決めピン２３５が位置決め穴に係合する際の摩擦力をＦ１（図８（ｂ）参照）、リタードロール２４１のフィードロール２３２への接触力をＦ２（図８（ｂ）参照）、スプリング２２７の引き込み力をＦ３、としたときに、Ｆ１＜Ｆ２＜Ｆ３の関係を有して装着される。その結果、収容部２２０を本体部２１０に確実に装着することができる。
【００５４】
図９に示すように、本体部２１０には、供給部２４０の上下方向への変位を規制する規制部材２１１が設けられている。規制部材２１１は、リタードロール２４１の回転軸の両延長位置で位置決めピン２３５の上方及び下方で第１スプリング２２４及び第２スプリング２２５の付勢力が作用する面と対向する側にそれぞれ２箇所設けられ、供給部２４０が給紙部２３０に位置決めされるときに供給部２４０に作用する回転モーメントＭを規制部材２１１で受ける構成となっている（図中  矢印参照）。
【００５５】
図１０に示すように、収容部２２０が本体部２１０に装着されて用紙積載板２２１に積載された用紙Ｐを側板２２２及び前壁２２３に沿って上昇手段（不図示）によって上方へ移動させる状態では、収容部２２０の前壁２２３の上端部に形成された凹形状２２８と供給部２４０の記録媒体突き当て壁２４７の下端部に形成された凸形状２４８が互いに嵌り合って一対の凹凸形状からなる複数の櫛歯部２４９ａ、２４９ｂ、２４９ｃ、２４９ｄ及び２４９ｅが形成されている。
【００５６】
記録媒体突き当て壁２４７の下端部にはテーパ案内面２４７ａが形成され、凸形状２４８の先端部にはテーパ案内面２４８ａが形成されている。下端部のテーパ案内面２４７ａは、用紙Ｐが斜行した状態であっても用紙Ｐの先端側角部がテーパ案内面２４７ａに接触する傾斜角度で形成され、凸形状２４８のテーパ案内面２４８ａは、収容部２２０の前壁２２３よりも記録媒体収容側へ突出しない傾斜角度で形成されている。
その結果、一対の凹凸形状は、収容部２２０と供給部２４０とが対向する位置に生じる間隙Ｇへの用紙Ｐの進入を防止している。
【００５７】
複数の櫛歯部２４９ａ、２４９ｂ、２４９ｃ、２４９ｄ及び２４９ｅは、積載される用紙Ｐの送り出し方向と交差する幅方向の両端から少なくとも１５ｍｍ内側に形成されている。具体的には、図１１（ａ）に示すように、Ａ４サイズの用紙Ｐに対しては、用紙幅２１０ｍｍに対して１５ｍｍないし２０ｍｍ内側に位置するように、また、図１１（ｂ）に示すように、Ｂ５サイズの用紙Ｐに対しては、用紙幅１８２ｍｍに対して１５ｍｍないし２０ｍｍ内側に位置するように形成されている。
その結果、用紙Ｐの両端部がサイドカールして用紙先端がカールしない平面状（フラット）に比して内側になった場合であっても、用紙先端部の間隙Ｇへの進入を防止している。
【００５８】
このように構成される搬送装置２００においては、図１２に示すように、給紙部２３０は供給部２４０が当接する受け面２３８を有し、本体部２１０には収容部２２０が当接する当接面２１３が形成され、収容部２２０が本体部２１０に装着されるときには、供給部２４０が受け面２３８に当接した後、収容部２２０が本体部２１０の当接面２１３に当接する構成となっている。
そのために、フィードロール２３２とリタードロール２４１の位置ずれを抑制しつつ、多数枚の用紙Ｐを積載した収容部２２０を装着するときの、収容部２２０の重量による衝撃力は、収容部２２０が受けて供給部２４０の損傷を抑制している。
【００５９】
「第２実施形態」
図１３は供給部２４０Ａを給紙部２３０に案内する案内部材２５０を備えた搬送装置２００Ａの構成と動作を説明するための断面模式図である。以下、図面を参照しながら、本実施形態に係る搬送装置２００Ａの構成と動作について説明する。
尚、第１実施形態と共通の構成には同一の符号を付して詳細な説明は省略する。
【００６０】
搬送装置２００Ａは、本体部２１０と、収容部２２０と、給紙部２３０と、収容部２２０にガイド部２２９を介して収容部２２０の装着方向と交差する方向に移動可能に保持された供給部２４０Ａと、収容部２２０が本体部２１０へ装着される動作に連係して、供給部２４０Ａが給紙部２３０と干渉しない第１の位置から用紙Ｐの供給に用いられる第２の位置に供給部２４０Ａを案内する案内部材２５０と、を備えて構成されている。
【００６１】
案内部材２５０は、収容部２２０が本体部２１０へ装着される際に、供給部２４０Ａに設けられた後述する被案内部材としての従動コロ２４０Ａａを誘導する第１傾斜面２５１ａ、第１傾斜面２５１ａに連続して形成され第１傾斜面２５１ａよりも急峻な傾斜を有する第２傾斜面２５１ｂ、第２傾斜面２５１ｂに連続して形成され収容部２２０の移動方向と平行な押圧面２５１ｃ、を有するカム部材である。
【００６２】
供給部２４０Ａには、案内部材２５０の第１傾斜面２５１ａ、第２傾斜面２５１ｂ、押圧面２５１ｃに接触して従動する従動コロ２４０Ａａがリタードロール２４１の回転軸の両延長位置でリタードロール２４１をフィードロール２３２に圧接する加圧部材２４６の真下に位置して設けられている。
【００６３】
このように構成される搬送装置２００Ａは、図１３（ａ）に示す収容部２２０が本体部２１０に対して引き出された状態では、供給部２４０Ａは、搬送装置２００Ａの鉛直方向（Ｚ方向）において、用紙センサＳＲ１のアクチュエータ２３９やナジャーロール２３１と干渉しない第１の位置まで下降している。
そして、収容部２２０を本体部２１０に対して装着する方向に移動させると、供給部２４０Ａは、用紙センサＳＲ１のアクチュエータ２３９やナジャーロール２３１とは干渉することなく、供給部２４０Ａに設けられた従動コロ２４０Ａａが案内部材２５０の第１傾斜面２５１ａと接触して案内される。
【００６４】
収容部２２０を本体部２１０に対して装着する方向にさらに移動させると、従動コロ２４０Ａａが案内部材２５０の第２傾斜面２５１ｂに案内されて、上方（Ｚ方向）及び本体部２１０内（Ｘ方向）へ移動する（図１３（ｂ）参照）。
そして、従動コロ２４０Ａａが第２傾斜面２５１ｂの終端部に到達すると、リタードロール２４１とフィードロール２３２が接触を開始して、収容部２２０の移動方向と平行な押圧面２５１ｃに達した位置でリタードロール２４１とフィードロール２３２が互いに対向して圧接しニップ部が形成される（図１３（ｃ）参照）。また、供給部２４０Ａは、その移動方向と交差する用紙Ｐの幅方向は位置決めピン２３５Ａと位置決め穴２４２Ａが係合して位置決めされる。
これにより、フィードロール２３２とリタードロール２４１が互いに当接して、ナジャーロール２３１から送り込まれた用紙Ｐを一枚ずつ分離して画像形成装置１００へ搬送する。
【００６５】
本実施形態に係る搬送装置２００Ａによれば、供給部２４０Ａを収容部２２０の装着方向と交差する方向に移動可能に保持し、収容部２２０の引き出し時には、リタードロール２４１の上面高さを用紙センサＳＲ１のアクチュエータ２３９やナジャーロール２３１の高さより低く設定し、収容部２２０の装着時には用紙センサＳＲ１のアクチュエータ２３９やナジャーロール２３１を通り過ぎた位置から上方向（Ｚ方向）に移動することで、干渉が回避され、給紙部２３０の損傷を防止することができる。
【符号の説明】
【００６６】
１・・・画像形成システム
１００・・・画像形成装置
１０・・・制御装置
２０・・・給紙装置
３０・・・感光体ユニット
４０・・・現像装置
５０・・・転写装置
６０・・・定着装置
６９・・・排出ローラ対
２００、２００Ａ・・・搬送装置
２１０・・・本体部
２２６・・・フック部材
２２０・・・収容部
２２３・・・前壁
２２４・・・第１スプリング
２２５・・・第２スプリング
２２６・・・規制部材
２３０・・・給紙部
２３１・・・ナジャーロール
２３２・・・フィードロール
２３３・・・搬送ロール対
２３５・・・位置決めピン
２４０、２４０Ａ・・・供給部
２４１・・・リタードロール
２４２・・・位置決め穴
２４０Ａａ・・・従動コロ
２５０・・・案内部材
【図１】
0006623660.tif 000002
【図２】
0006623660.tif 000003
【図３】
0006623660.tif 000004
【図４】
0006623660.tif 000005
【図５】
0006623660.tif 000006
【図６】
0006623660.tif 000007
【図７】
0006623660.tif 000008
【図８】
0006623660.tif 000009
【図９】
0006623660.tif 000010
【図１０】
0006623660.tif 000011
【図１１】
0006623660.tif 000012
【図１２】
0006623660.tif 000013
【図１３】
0006623660.tif 000014